(57)【要約】      （修正有）【課題】内容物を円滑に取り出し可能であるとともに、内容物が空になった場合にゴミ袋等に再利用することが可能でな包装袋を提供する。【解決手段】内容物を包装する包装袋本体２と包装袋本体部の上方に形成され把持可能に補強された把持部３とを備える樹脂フィルム材からなる包装袋１であって、包装袋本体部と把持部とを上下方向に区切り左右方向に形成された第１熱シール部７と、第１熱シール部の上方に把持部に左右方向に形成された第２熱シール部８と、下方に引っ張って前記包装袋本体部を引き裂き可能な前記包装袋本体部に形成された第１弱体線部５と、上方に引っ張って少なくとも前記包装袋本体部を引き裂き可能な前記包装袋本体部及び前記把持部に渡って形成された第２弱体線部６とを備え、第１弱体線部の上端部と第２弱体線部の下端部とは包装袋本体部において互いに交差して形成されている。【選択図】図１
0003183250.tif 000002
【実用新案登録請求の範囲】
【請求項１】
内容物を包装する包装袋本体部と前記包装袋本体部の上方に形成され把持可能に補強された把持部とを備える樹脂フィルム材からなる包装袋であって、
前記包装袋本体部と前記把持部とを上下方向に区切り左右方向に形成された第１熱シール部と、
前記第１熱シール部の上方に前記把持部に左右方向に形成された第２熱シール部と、
下方に引っ張って前記包装袋本体部を引き裂き可能な前記包装袋本体部に形成された第１弱体線部と、
上方に引っ張って少なくとも前記包装袋本体部を引き裂き可能な前記包装袋本体部及び前記把持部に渡って形成された第２弱体線部と
を備え、
前記第１弱体線部の上端部と前記第２弱体線部の下端部とは前記包装袋本体部において互いに交差して形成されている
ことを特徴とする包装袋。
【請求項２】
前記第１弱体線部は、上方に凸状に形成され下方へ延びており、
前記第２弱体線部は、下方に凸状に形成され上方へ延びている
ことを特徴とする請求項１に記載の包装袋。
【請求項３】
前記第２弱体線部は前記第１シール部及び前記第２熱シール部を通過して上端に到るまで上方へ延びており、
前記第２弱体線部をその下方から前記第１シール部に到るまで引き裂いた場合に、前記第１シール部をちょうつがいとする上ふた部が形成される
ことを特徴とする請求項１に記載の包装袋。
【請求項４】
前記第２弱体線部を前記第１シール部を越えて上端に到るまで引き裂いた場合に、引き裂かれて形成された開口部と、前記把持部の左右に残る部位に形成された手提げ部とを有するレジ袋が形成される
ことを特徴とする請求項３に記載の包装袋。
【請求項５】
前記第１弱体線部をその上方から下方へ引き裂いた場合に、引き裂かれた部分は前記第１弱体線部の両下端を結ぶ横線から下方へ垂れる下ふた部が形成されるとともに、前記上ふた部が開閉する開口部を拡大した開口部が形成される
ことを特徴とする請求項１に記載の包装袋。
【請求項６】
前記第１弱体線部の上端には第１つまみ部が形成され、前記第２弱体線部の下には第２つまみ部が形成され、前記第１つまみ部は前記第２つまみ部の上方に位置する
ことを特徴とする請求項１に記載の包装袋。
【考案の詳細な説明】
【技術分野】
【０００１】
本考案は、包装袋に係り、特におむつやロールペーパを包装する包装袋に関する。
【背景技術】
【０００２】
図６は従来のおむつを包装する包装袋を概略的に示す図である。図６に示す従来の包装袋２０は、樹脂フィルム材からなる筒状フィルムを左右の両側にガゼット用に折り込み、１方向の両端部を熱シールした形成したものである。包装袋２０は、内部におむつを収納するための包装袋本体部２１と手で把持可能に補強された把持部２２とを備えている。  包装袋２０には、左右の両側にはガゼット部２４が形成されている。また、包装袋本体部２１は、表裏面の両面の上部にミシン目状に切り込まれて弱体線部２３を備えている。弱体線部２３は上方に凸状に形成され下方へ延びる円弧状部２３ａと、指で引っ張って円弧状部２３ａを開くための円弧状部２３ａの中心部に形成されたつまみ部２３ｂとを備えている。
【０００３】
包装袋２０においては、つまみ部２３ｂを引っ張って円弧状部２３ｂ及び直線状部２３ｂを破り包装袋２０を開封し、内部のおむつを取り出していた。
【０００４】
また、類似の包装袋としては、特許文献１に記載されたものがある。
【先行技術文献】
【特許文献】
【０００５】
【特許文献１】特開２０００−３０２１６６号公報
【考案の概要】
【考案が解決しようとする課題】
【０００６】
従来の包装袋２０は、包装袋本体部２１には上方に凸状に形成され下方へ延びる円弧状部２３ａを有する単一の弱体線部２３が形成されているだけであった。また、包装袋本体部２１内におむつを安定して収納しておくためには、円弧状部２３ａの大きさは大きくなりすぎないように適度の大きさにしておく必要がある。
【０００７】
そして、内部のおむつを取り出す場合に、包装袋２０の開封の初期には円弧状部２３ａを引き裂いて形成した開口部から内部のおむつを取り出し、包装袋２０の開封の後期にはさらに奥の内部のおむつを取り出すために円弧状部２３ａをミシン目の形成されていない部位をさらに引き裂いて開口部を大きくして取り出していた。
【０００８】
このために、従来の包装袋２０では、開封の仕方が単調にしか可能でないために、包装袋２０の開封の初期から後期に渡る全体の期間において内部のおむつを円滑に取り出すことができないという問題があった。
【０００９】
また、従来の包装袋２０は単一の弱体線部２３が形成されているだけであるので、使用後にゴミ袋等に使用する等の他の利用に供することができなかった。
【００１０】
そこで、本考案の目的は、上記従来の技術が有する問題点を解消し、おむつやロールペーパ等の内部の内容物を円滑に取り出せるように開封が可能であり、また使用後において他の利用に供することが可能な包装袋を提供することである。
【課題を解決するための手段】
【００１１】
上記目的を達成するために、本願考案に係る包装袋は、内容物を包装する包装袋本体部と前記包装袋本体部の上方に形成され把持可能に補強された把持部とを備える樹脂フィルム材からなる包装袋であって、前記包装袋本体部と前記把持部とを上下方向に区切り左右方向に形成された第１熱シール部と、前記第１熱シール部の上方に前記把持部に左右方向に形成された第２熱シール部と、下方に引っ張って前記包装袋本体部を引き裂き可能な前記包装袋本体部に形成された第１弱体線部と、上方に引っ張って少なくとも前記包装袋本体部を引き裂き可能な前記包装袋本体部及び前記把持部に渡って形成された第２弱体線部とを備え、前記第１弱体線部の上端部と前記第２弱体線部の下端部とは前記包装袋本体部において互いに交差して形成されていることを特徴とする。
【００１２】
また、前記第１弱体線部は、上方に凸状に形成され下方へ延びており、前記第２弱体線部は、下方に凸状に形成され上方へ延びていることを特徴とする。
【００１３】
また、前記第２弱体線部は前記第１シール部及び前記第２熱シール部を通過して上端に到るまで上方へ延びており、前記第２弱体線部をその下方から前記第１シール部に到るまで引き裂いた場合に、前記第１シール部をちょうつがいとする上ふた部が形成される
ことを特徴とする。
【００１４】
また、前記第２弱体線部を前記第１シール部を越えて上端に到るまで引き裂いた場合に、引き裂かれて形成された開口部と、前記把持部の左右に残る部位に形成された手提げ部とを有するレジ袋が形成されることを特徴とする。
【００１５】
また、前記第１弱体線部をその上方から下方へ引き裂いた場合に、引き裂かれた部分は前記第１弱体線部の両下端を結ぶ横線から下方へ垂れる下ふた部が形成されるとともに、前記上ふた部が開閉する開口部を拡大した開口部が形成されることを特徴とする。
【００１６】
また、前記第１弱体線部の上端には第１つまみ部が形成され、前記第２弱体線部の下には第２つまみ部が形成され、前記第１つまみ部は前記第２つまみ部の上方に位置することを特徴とする。
【考案の効果】
【００１７】
本願考案の構成によれば、第１弱体線部に加えて第２弱体線部を備え第１弱体線部の上端部と第２弱体線部の下端部とは包装袋本体部において互いに交差して形成されているので、内容物が包装された状態で内部へ塵等が入らないように上ふた部を形成することが可能になり、また、内容物を使用尽くした場合にゴミ袋等として再利用することが可能になり、また、内容物の残存度合に応じて内容物を取り出すための開口部をより大きくし内容物を円滑に取り出すことができる。
【図面の簡単な説明】
【００１８】
本願考案に係る包装袋の一実施形態を示す概略断面図。
【図１】本願考案の包装袋の一実施形態を示す図。
【図２】一部を開封した状態を示す図。
【図３】一部を開封して内部を内容物を示す図。
【図４】さらに開封して内部を内容物を示す図。
【図５】包装袋に第１弱体線部及び第２弱体線部としてのミシン目を形成する手法の一例を示す図。
【図６】従来の包装袋を示す図。
【考案を実施するための形態】
【００１９】
本願考案の実施の形態について図面を参照して以下に説明する。  
図１は、本願考案の一実施形態に係る包装袋１の概略断面図である。包装袋１は、樹脂フィルム材からなる筒状フィルムを左右の両側にガゼット用に折り込み、縦方向の両端部を熱シールした形成したものである。包装袋２０は、内部に成人用のおむつを包装するものである。なお、成人用のおむつに代えて子供用のおむつを包装することも可能であり、あるいはトイレットペーパ等のロールペーパを収納するようにアレンジすることも可能である。
【００２０】
包装袋１は、成人用のおむつを収納するための包装袋本体部２と手で把持可能に補強された把持部３とを備えている。包装袋１には、左右の両側にはガゼット部４が形成されている。包装袋本体部２と把持部３との境界には左右に第１熱シール部７が形成され、第１熱シール部７の上方の包装袋１の上端部近傍にはは左右に第２熱シール部８が形成されている。第１熱シール部７と第２熱シール部８はガゼット部４の表裏面が重なった状態で形成されている。把持部３は、第１熱シール部７と第２熱シール部８との間の中央部に手で持つために開口した手持ち部９を備えている。第１熱シール部７と第２熱シール部８とが設けられていることによって、把持部３は手で把持可能に補強される。
【００２１】
包装袋本体部２には、表裏の両面にミシン目状に切り込まれた第１弱体線部５が形成されている。また、第１弱体線部５の上方にあって、包装袋本体部２と把持部３に跨って第２弱体線部６が形成されている。
【００２２】
第１弱体線部５は上方に凸状に形成され下方へ延びる円弧状部５ａと、指で引っ張って円弧状部５ａを下方へ開くための円弧状部５ａの中心部に形成されたつまみ部５ｂとを備えている。
【００２３】
第２弱体線部６は、下方に凸状に形成され上方へ延びる円弧状部６ａと、円弧状部６ａに上方へ延設され包装袋１の上端部に到る直線部６ｂと、指で引っ張って円弧状部６ａを上方へ開くための円弧状部６ａの中心部に形成されたつまみ部６ｃとを備えている。直線部６ｂは包装袋本体部２の上端近傍から把持部３を通過して包装袋１の上端部に到っている。
【００２４】
第１弱体線部５のつまみ部５ｂは第２弱体線部６のつまみ部６ｃの上方にあり、円弧状部５ａと円弧状部６ａとは一部が交差している。
【００２５】
つまみ部６ｃを掴み上方へ引っ張ったときに、まず円弧状部６ａが引き裂かれ、ついで直線部６ｂが第１熱シール部７に到るまで引き裂かれ、この状態で、図３に示すように、引き裂かれた円弧状部６ａと直線部６ｂは上ふた部１０を形成する。上ふた部１０は第１熱シール部７をちょうつがいとしてぶら下がった状態にあり、包装袋本体部２の内部のおむつ１１に対して包装袋本体部２内へ埃等が入らないようにするための開閉可能なふたの作用をすることができる。特に大人用のおむつ１１にあっては、子供用のおむつとは異なり頻繁に取り換えることはないので、上ふた部１０は包装袋本体部２内へ埃等が入らないようにする上で有用である。
【００２６】
図５に、包装袋１０に第１弱体線部５及び第２弱体線部６としてのミシン目を形成する手法の一例を示す。符合１８はミシン目形成用治具である。ミシン目形成用治具１８の底面１８ａには、第１弱体線部５用の第１ミシン目用刃１５と第２弱体線部６用の第２ミシン目用刃１６が形成されている。製造ラインに包装袋１０が切り離される前の一連の包装袋列が送られて来る。ミシン目形成用治具１８は適度のタイミングで一連の包装袋列の個々の包装袋１０に押し下げられ、第１弱体線部５及び第２弱体線部６が同時に形成される。なお、第１弱体線部５及び第２弱体線部６は、通常は包装袋１０の表面と裏面の両面に形成されるが、表面のみに形成した場合には図５において一連の包装袋列の内部に例えば硬いシートを差し込み包装袋１０の裏面にミシン目形成用治具１８が作用しないようにするか、あるいは一連の包装袋列の内部に例えば硬いシートを差し込む代わりに包装袋１０の表面のみにミシン目形成用治具１８が作用するように弱い力で包装袋１０を包装するようにすればよい。
【００２７】
次に、つまみ部６ｃを掴みさらに上方へ引っ張ったときに、図２に示すように直線部６ｂが完全に引き裂かれ、包装袋本体部２の上部に開口部１３が形成され、内部のおむつ１１を使用し尽くした場合には、包装袋１は図２に示すようなレジ袋１０あるいはゴミ袋として機能することができる。ガゼット部４の内側部が直線部６ｂによって引き裂かれているので、開口部１３の包装袋１の部位１３ａには表裏面の両面によって左右に貫通孔が形成され、把持部３はレジ袋１０の貫通孔の有する手提げ部として機能することができる。開口部１３から包装袋本体部２内へ所望の物を収納することができる。
【００２８】
図４は、図３に示す状態に加えてさらに、つまみ部５ｂを掴み下方へ引っ張って円弧状部５ａを引き裂いた状態を示す。引き裂かれた円弧状部５ａは、図１における円弧状部５ａの両下端を結ぶ横線から下方へ垂れた下ふた部１４を形成する。包装袋本体部２は、上ふた部１０と下ふた部１４を開けることによって図３に示す状態に比べてより大きな開口を形成することができ、内部のおむつ１１が残り少なくなった場合においても容易に取り出すことができ、あるいは未使用のおむつ１１の個数を容易に把握することができる。
【００２９】
なお、上述の説明において、包装袋１内の内容物としておむつ１１を例にとり説明したが、おむつ１１に代えてトイレットペーパ等のロールペーパを収納することも可能である。
【００３０】
また、第１弱体線部５と第２弱体線部６としてミシン目を例にとり説明したが、引き裂き容易に形成されていればミシン面に限らず、ミシン目に代えて、薄肉部を形成したり弱体材料を用いたりする等、他の手法で弱体線部を形成することも可能である。
【００３１】
また、包装袋１は、ガゼット部４を備えることを例にとり説明したが、包装袋１はガゼット部を備えなくともよい。
【００３２】
また、第１弱体線部５は上方に凸状に形成され第２弱体線部６は下方に凸状に形成された例を示したが、本願発明においては、第１弱体線部５の上端部と第２弱体線部６の下端部とが包装袋本体部２において互いに交差して形成されていればよいのであり、必ずしも第１弱体線部５は上方に凸状に形成され第２弱体線部６は下方に凸状に形成されている必要はない。
【００３３】
また、第１弱体線部５と第２弱体線部６は包装袋の表裏の両面に形成されているが、通常は一方の面のみを引き裂くようにすればよい。
【符号の説明】
【００３４】
１  包装袋
２  包装袋本体部
３  把持部
４  ガゼット部
５  第１弱体線部
６  第２弱体線部
７  第１熱シール部
８  第２熱シール部
１０  上ふた部
１１  おむつ
１４  下ふた部
【図１】
0003183250.tif 000003
【図２】
0003183250.tif 000004
【図３】
0003183250.tif 000005
【図４】
0003183250.tif 000006
【図５】
0003183250.tif 000007
【図６】
0003183250.tif 000008